(57)【要約】    【課題】リールを付けたまま収納・運搬できる簡易型の釣り竿収納バッグを提供する。    【解決手段】連結及び取外し自在に分断された各釣り竿要素（１１Ｂ）が収納可能な高さと幅を有する釣り竿収納バッグである。このバッグはリール（１４Ｂ）当接位置に開口（１５Ｂ）が形成されている。好ましくは、このリール用の開口（１５Ｂ）は一側面及び正面の一部分だけに限定されており、しかも、リール（１４Ｂ）を覆うことができる開口閉鎖片（１７）が設けられている。【選択図】図３
2006197844.tif 000002
【特許請求の範囲】
【請求項１】
連結及び取外し自在に分断された各釣り竿要素（１１，１１Ａ，１１Ｂ）が収納可能な高さと幅を有する釣り竿収納バッグであって、リール（１４，１４Ａ，１４Ｂ）の当接位置に開口（１５，１５Ａ，１５Ｂ）が形成されていることを特徴とする釣り竿収納バッグ（１０，１０Ａ，１０Ｂ）。
【請求項２】
釣り竿（１１Ａ）がバッグの中で移動しないように縛り付けるためのバンド（１６）がさらに設けられている請求項１記載の釣り竿収納バッグ（１０Ａ）。
【請求項３】
リール（１４，１４Ａ）の当接位置において、背面のみを除いて他の３面はバッグ生地が切り抜かれて開口（１５，１５Ａ）となっている請求項１記載の釣り竿収納バッグ（１０，１０Ａ）。
【請求項４】
リール用の開口（１５Ｂ）が一側面及び正面の一部分だけに限定されており、しかも、前記リールを覆うことができる開口閉鎖片（１７）がさらに設けられている請求項１記載の釣り竿収納バッグ（１０Ｂ）。
【発明の詳細な説明】
【技術分野】
【０００１】
本発明は、リールを付けたまま釣り竿を収納・運搬することができる簡易型の釣り竿収納バッグに関する。
【背景技術】
【０００２】
リールを付けたまま釣り竿を収納・運搬するバッグとして、例えば、下記特許文献１に示すように、ゴルフバッグのような形状の本格的なタイプのものが公知である。このバッグの胴体の膨らみ部分において、リールを収納することができる。このような本格的なバッグは、釣り竿をしっかりと保護することができるが、高価であり、重量も重く、持ち運びに不便である。
【０００３】
一方、釣り竿の購入者に対してメーカーや販売店が提供するビニール製の運搬袋のような、簡易型の釣り竿収納バッグも公知である。この種のバッグは、もともと釣り竿の一時的な運搬を目的としたものであるから、リールのことは全く顧みられていない。そのため、リールを付けたまま収納・運搬することはできない。
【特許文献１】特開２００４−１０５２０４
【発明の開示】
【発明が解決しようとする課題】
【０００４】
釣り人にもさまざまなタイプの人がいる。本職の人や趣味でも本職に近いような人は本格的なバッグを購入するであろう。しかし、それほどまでには釣りに入れ込んでいない釣り人も非常に多いものである。後者のような人にとって、リールを付けたまま収納・運搬できる簡易型の釣り竿収納バッグがあれば好都合である。本発明はそのような要望に応えることを目的とする。
【課題を解決するための手段】
【０００５】
本発明の釣り竿収納バッグは、連結及び取外し自在に分断された各釣り竿要素が収納可能な高さと幅を有する釣り竿収納バッグであって、リールの当接位置に開口が形成されていることを特徴とする。
【発明の効果】
【０００６】
本発明の釣り竿収納バッグによれば、簡易型であるから、本格的な釣り竿収納バッグに比べて非常に安価に製造できる。それにも関わらず、リールを付けたまま釣り竿を収納・運搬することができる。
【発明を実施するための最良の形態】
【０００７】
本発明の釣り竿収納バッグは、簡易型であるから、素材は軽量で安価なものが好ましい。例えば、ビニール等のプラスチックシート、織物・編物等の布帛を使用することができる。硬質プラスチック製又は木製のケースは不向きである。釣り竿の収納のために、少なくとも１個所で開閉可能なスライドファスナを設けるのが普通である。
【０００８】
好ましくは、釣り竿がバッグの中で移動しないように縛り付けるためのバンドを設ける。そうすることにより、釣り竿の不用意な移動が阻止され、釣り竿を傷つけることがない。バンドの先端には面ファスナを取り付け、バンド後端の面ファスナと接合可能とすることができる。バンド後端は、バンド先端の面ファスナと係合可能なパイル地でもよい。
【０００９】
開口は、リールの当接位置において、背面のみを除いて他の３面のバッグ生地を切り抜いて形成するのが経済的である。しかし、リール用の開口を一側面及び正面の一部分だけに限定し、しかも、前記リールを覆うことができる開口閉鎖片を設けることもできる。そうすることにより、リールが露出するのを防ぐことができるので、釣り竿がより一層保護される。
【００１０】
以下、添付の図面に基づき、本発明の実施例を説明する。
【実施例１】
【００１１】
図１は、本発明の第１実施例に係る釣り竿収納バッグ１０の斜視図である。全体はビニール製で、連結及び取外し自在に分断された釣り竿１１の各要素１１ａ，１１ｂ，１１ｃが収納可能な高さと幅の本体１２を有する。釣り竿１１を入れるときに広げられるように下方側部に開閉可能なスライドファスナー１３が取り付けられている。
【００１２】
本実施例の特徴は、リール１４の当接位置において、背面のみを除いて他の３面はバッグ生地が切り抜かれて開口１５となっていることである。そのため、リール１４はバッグ１０から突出し、露出している。その結果、リール１４を付けたままでも釣り竿１１はバッグ１０に収納可能となる。
【実施例２】
【００１３】
図２は、本発明の第２実施例に係る釣り竿収納バッグ１０Ａの斜視図である。実施例１と異なるところは、釣り竿１１Ａがバッグの中で移動しないように縛り付けるためのバンド１６が設けられていることである。バンド１６の先端には面ファスナ１６ａが取り付けられていて、バンド後端のパイル地と接合可能である。
【００１４】
その他、実施例１と同じ部品には、実施例１の符号に「Ａ」を付けてその説明を省略する。
【実施例３】
【００１５】
図３は、本発明の第３実施例に係る釣り竿収納バッグ１０Ｂの斜視図である。第１実施例と異なるのは、リール用の切り込み１５Ｂが右側面及び正面の右半分だけに限定されていること、及び、リール１４Ｂを覆うことができる開口閉鎖片１７が設けられていることである。閉鎖片１７の先端には面ファスナ１７ａが取り付けられていてバッグ側の面ファスナ１７ｂと接合可能である。この実施例によれば、リール１４Ｂも露出しなくなるので、前記２実施例よりも釣り竿１１Ｂがよりよく保護される。
【００１６】
また、実施例２のように、釣り竿１１Ｂがバッグ１０Ｂの中で移動しないように縛り付けるためのバンドを設けることもできる。
【００１７】
その他、実施例１と同じ部品には、実施例１の符号に「Ｂ」を付けてその説明を省略する。
【図面の簡単な説明】
【００１８】
【図１】本発明の第１実施例に係る釣り竿収納バッグ１０の斜視図である。
【図２】本発明の第２実施例に係る釣り竿収納バッグ１０Ａの斜視図である。
【図３】本発明の第３実施例に係る釣り竿収納バッグ１０Ｂの斜視図である。
【符号の説明】
【００１９】
１０，１０Ａ，１０Ｂ バッグ
１１，１１Ａ，１１Ｂ 釣り竿
１２   本体
１３   ファスナー
１４，１４Ａ，１４Ｂ リール
１５，１５Ａ，１５Ｂ 開口
１６   バンド
１７   開口閉鎖片
【図１】
2006197844.tif 000003
【図２】
2006197844.tif 000004
【図３】
2006197844.tif 000005